(57)【要約】【課題】組み立てにかかる工数が増加することを防止できる操作ボタンの取付構造及び該操作ボタンの取付構造を備えた電子機器を提供する。【解決手段】電子機器としてのＡＶ機器１はケース２と操作ボタンの取付構造１４を備えている。取付構造１４は操作ボタン１１と印刷配線板１９と接点ゴム２１と第１押さえ部３１と第２押さえ部３２を備えている。操作ボタン１１はケース２に変位自在に設けられている。印刷配線板１９はケース２内に収容されている。接点ゴム２１は印刷配線板１９の一対の接点２０ａ，２０ｂを電気的に接続可能なボス部２６を備えている。第１押さえ部３１はケース２のフロントパネル１８ａから印刷配線板１９に向かって立設している。第２押さえ部３２は接点ゴム２１の平板部２５からフロントパネル１８ａに向かって凸状に形成されて第１押さえ部３１との間に操作ボタン１１のヒンジ部３４を挟む。【選択図】図５
2008251183.tif 000002
【特許請求の範囲】
【請求項１】
ケースに変位自在に支持されたボタン本体と、このボタン本体に連なりかつ前記ボタン本体が前記ケースに対して変位することを許容するヒンジ部とを有した操作ボタンと、
前記ケース内の印刷配線板に重ねられ、かつ弾性材料で構成されているとともに、弾性変形することで前記印刷配線板上に形成された一対の接点同士を電気的に接続するボス部が設けられた接点ゴムと、を備えた操作ボタンの取付構造において、
前記ケースに設けられた第１押さえ部と、前記接点ゴムに設けられかつ前記第１押さえ部との間に前記ヒンジ部を挟む第２押さえ部と、を備えたことを特徴とする操作ボタンの取付構造。
【請求項２】
前記ケースが前記操作ボタンを変位自在に支持する本体部を備え、かつ、前記第１押さえ部が前記本体部から前記印刷配線板に向かって立設した柱状に形成されていることを特徴とする請求項１記載の操作ボタンの取付構造。
【請求項３】
前記接点ゴムが、前記印刷配線板上に重ねられる平板部を備え、かつ、前記第２押さえ部が前記平板部から前記ケースに向かって凸状に形成されていることを特徴とする請求項１又は請求項２記載の操作ボタンの取付構造。
【請求項４】
前記ボタン本体を複数備え、かつ、前記ヒンジ部が互いに隣り合う前記ボタン本体同士を連結していることを特徴とする請求項１乃至請求項３のうちいずれか一項に記載の操作ボタンの取付構造。
【請求項５】
前記印刷配線板との間に前記接点ゴムを挟み、かつ、当該接点ゴムを覆うハウジング部材を備えたことを特徴とする請求項１乃至請求項４のうちいずれか一項に記載の操作ボタンの取付構造。
【請求項６】
ケースと、
前記ケース内に収容された印刷配線板と、
前記ケースに変位自在に設けられた操作ボタンを有し、当該操作ボタンが前記ケースに対して変位されることで、前記印刷配線板の一対の接点同士を電気的に接続可能な操作ボタンの取付構造と、を備えた電子機器において、
前記操作ボタンの取付構造として、請求項１乃至請求項５のうちいずれか一項に記載の操作ボタンの取付構造を備えたことを特徴とする電子機器。
【発明の詳細な説明】
【技術分野】
【０００１】
本発明は、例えば、ＡＶ機器などの各種の電子機器の操作ボタンの取付構造及び該操作ボタンの取付構造を備えた電子機器に関する。
【背景技術】
【０００２】
例えば、ＣＤ（Compact Disk）などの光ディスクに記録された情報を読み出して、再生する電子機器としてのＡＶ機器は、ケースと、該ケース内に収容されかつ前記ＣＤなどの光ディスクをクランプして該光ディスクから情報を読み出す再生部と、前記ケースの表面に設けられかつ各種の操作を行う際に用いられる操作部とを備えている。
【０００３】
ケースは、箱状に形成されている。前述した操作部は、前記ケースの外側に露出するとともに前記ケースに対して変位自在に設けられて使用者などに押圧される操作ボタンと、該操作ボタンが押圧されたか否かを検出する接点構造と、を備えている。
【０００４】
前記操作ボタンは、ケースに対して変位自在に設けられて使用者などから押圧操作される本体部と、該本体部をケースに対して変位自在とするヒンジ部とを備えている。ヒンジ部が、柱状に形成され、かつ本体部の外表面から凸に形成されている。操作ボタンは、例えば、ヒンジ部がケースと後述する印刷配線板上のハウジング部材との間に挟まれて、ケースに変位自在に取り付けられる。ハウジング部材は、ケースと同様に絶縁性で硬質な合成樹脂で構成されている。
【０００５】
接点構造は、前述したケース内に収容された印刷配線板上に形成されかつ互いに間隔をあけて配された一対の接点と、弾性体により前記接点に接離自在に設けられたボス部とを備えている。ボス部の平面形状は、円形等である。ボス部は、ゴムなどの弾性変形自在な合成樹脂に導体で構成される粉などが混入されて得られる。即ち、ボス部は、導電性のゴムとなっている。
【０００６】
前述した接点構造は、操作ボタンの本体部が押圧されると、該本体部によりボス部が弾性体の弾性復元力に抗して前記一対の接点に向かって押圧される。すると、接点構造は、ボス部が一対の接点の双方に接触して、該一対の接点が互いに電気的に接続する。このように、接点構造は、ボス部が一対の接点同士を電気的に接続するか否かで、前述した操作ボタンの本体部が押圧されたか否かを検出できるようにしている。
【発明の開示】
【発明が解決しようとする課題】
【０００７】
前述した構成の従来の操作ボタンの取付構造では、例えば、それぞれが硬質な合成樹脂で構成されたケースとハウジング部材との間にヒンジ部を挟みこんで、操作ボタンを取り付けるので、成形時などのケースやハウジング部材の歩留まりによって、ケースとハウジング部材との双方にヒンジ部が密に接触して、操作ボタンが操作しにくくなったり、ケースとハウジング部材との双方とヒンジ部との間の隙間が大きくなって、操作ボタンがケースに対してがたついたりすることがあった。このため、従来の操作ボタンの取付構造では、ケースとハウジング部材との双方と操作ボタンのヒンジ部との間の隙間を調整する工程が必要となって、組み立てにかかる工数が増加する傾向であった。
【０００８】
したがって、本発明の目的は、例えば、組み立てにかかる工数が増加することを防止できる操作ボタンの取付構造及び該操作ボタンの取付構造を備えた電子機器を提供することにある。
【課題を解決するための手段】
【０００９】
前述した課題を解決し目的を達成するために、請求項１に記載の本発明の操作ボタンの取付構造は、ケースに変位自在に支持されたボタン本体と、このボタン本体に連なりかつ前記ボタン本体が前記ケースに対して変位することを許容するヒンジ部とを有した操作ボタンと、前記ケース内の印刷配線板に重ねられ、かつ弾性材料で構成されているとともに、弾性変形することで前記印刷配線板上に形成された一対の接点同士を電気的に接続するボス部が設けられた接点ゴムと、を備えた操作ボタンの取付構造において、前記ケースに設けられた第１押さえ部と、前記接点ゴムに設けられかつ前記第１押さえ部との間に前記ヒンジ部を挟む第２押さえ部と、を備えたことを特徴としている。
【発明を実施するための最良の形態】
【００１０】
以下、本発明の一実施形態を説明する。本発明の一実施形態にかかる操作ボタンの取付構造は、例えば硬質な合成樹脂で構成されたケースに設けられた第１押さえ部と、ゴムで構成された接点ゴムに設けられた第２押さえ部との間に操作ボタンのヒンジ部を挟むようにすることで、成形時などに寸法に狂いが生じても、接点ゴムに設けられた第２押さえ部の弾性変形量がそれに応じて変化して、ガタを生じることなく、かつ第２押さえ部が弾性変形して第１押さえ部とヒンジ部とが過度に密に接触させることなく、操作ボタンを取り付けることができるようにしている。こうすることで、操作ボタンの取付構造は、ケースと接点ゴムとの双方と操作ボタンのヒンジ部との間の隙間を調整する工程が必要なくなり、組み立てにかかる工数の増加を防止することができる。
【００１１】
第１押さえ部が、ケースの本体部から立設した柱状に形成されても良い。この場合、第１押さえ部が、第２押さえ部との間に操作ボタンのヒンジ部を確実に挟むことができる。
【００１２】
第２押さえ部が、接点ゴムの平板部から立設した凸状に形成されても良い。この場合、第２押さえ部が、第１押さえ部との間に操作ボタンのヒンジ部を確実に挟むことができる。
【００１３】
複数のボタン本体を備え、ヒンジ部が互いに隣り合うボタン本体同士を連結しても良い。この場合、組み立て時に、複数のボタン本体を一つの部品として取り扱うことができるので、組み立てにかかる手間即ち工数を削減することができる。
【００１４】
接点ゴムを印刷配線板との間に挟んで覆うハウジング部材を備えても良い。この場合、接点ゴムのボス部や第２押さえ部を除く大部分が変形することを防止できるので、当該接点ゴムの変形可能な部分をボス部や第２押さえ部などに限定することができる。したがって、操作ボタンを操作したときに、確実に一対の接点同士を電気的に接続できるとともに、第１押さえ部と第２押さえ部との間にヒンジ部を挟み込んで、操作ボタンを確実に取り付けることができる。
【００１５】
本発明では、前述した操作ボタンの取付構造を備えた電子機器としても良い。この場合、電子機器は、前述した操作ボタンの取付構造を備えているので、ケースと接点ゴムとの双方と操作ボタンのヒンジ部との間の隙間を調整する工程が必要なくなり、組み立てにかかる工数の増加を防止することができる。
【実施例】
【００１６】
本発明の一実施例を、図１ないし図６に基づいて説明する。本発明の一実施例に係る電子機器としてのＡＶ（Audio-Visual）機器１は、移動体としての自動車のインストルメントパネル（以下、インパネと呼ぶ）などに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。
【００１７】
ＡＶ機器１は、図１に示すように、ケース２と、再生装置としてのＣＤ（Compact Disk）プレーヤ３と、再生装置としてのＭＤ（Mini disc）プレーヤ４と、ラジオ放送を受信するＡＭ／ＦＭチューナ５と、表示部６と、操作部７とを備えている。
【００１８】
ケース２は、合成樹脂で構成された本体部としてのフロントパネル１８ａと、板金で構成されたケース本体１８ｂとを備えて、箱状に形成されている。ケース２は、ケース本体１８ｂの図１中手前側にフロントパネル１８ａが取り付けられた状態で、前述したインパネに取り付けられる。ケース２は、ケース本体１８ｂが前述したインパネに取り付けられて、フロントパネル１８ａが外部に露出しかつ乗員（使用者ともいう）に相対する。ケース２の図１中手前側に位置するフロントパネル１８ａには、ＣＤ用挿入口８と、ＭＤ用挿入口９と、操作部用孔１３（図２に示す）とが開口している。
【００１９】
ＣＤ用挿入口８は、内側にＣＤを通して、該ＣＤをケース２即ちＣＤプレーヤ３に出し入れする。ＭＤ用挿入口９は、内側にＭＤを通して、該ＭＤをケース２即ちＭＤプレーヤ４に出し入れする。操作部用孔１３は、前記フロントパネル１８ａを貫通している。操作部用孔１３即ちフロントパネル１８ａは、操作部７の後述する操作ボタン１１を収容するとともに、前記前面２ａに対して直交する奥行き方向Ｙに沿って、当該操作ボタン１１を移動自在に支持する。
【００２０】
ＣＤプレーヤ３は、ケース２に挿入されたＣＤの情報を読み出して、音声として出力する。ＭＤプレーヤ４は、ケース２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する操作ボタン１１等を使用者が押圧することによって動作する。
【００２１】
表示部６は、前述したフロントパネル１８ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。
【００２２】
操作部７は、一つの複合スイッチ１２と、操作ボタンの取付構造（以下、単に取付構造と記し、図２乃至図４に示す）１４などを備えている。複合スイッチ１２は、前記フロントパネル１８ａの外表面に対し直交する方向に沿って移動自在に設けられ、かつフロントパネル１８ａの外表面に対し直交する軸芯回りに回転自在に支持された操作ノブ１５などを備えている。操作ノブ１５は、フロントパネル１８ａから突出する方向に付勢されているとともに、前記フロントパネル１８ａなどに係止して該フロントパネル１８ａから脱落することが規制されている。
【００２３】
複合スイッチ１２は、操作ノブ１５が押圧されることで、ＡＶ機器１全体の電源をオン・オフし、操作ノブ１５が軸芯回りに回転されることで、再生中又は受信中のプログラムの音量を調整するために用いられる。
【００２４】
取付構造１４は、図２乃至図４に示すように、操作ボタン１１と、印刷配線板１９と、接点ゴム２１と、ハウジング部材３０と、第１押さえ部３１と、第２押さえ部３２とを備えている。
【００２５】
操作ボタン１１は、図１に示すように、前記フロントパネル１８ａに幅方向Ｘに沿って直線上に並べられて配置されている。操作ボタン１１は、図２及び図３に示すように、複数のボタン本体３３と、複数のヒンジ部３４とを一体に備えている。ボタン本体３３は、円板状の正面板１６と、この正面板１６の外縁から立設した筒部１７とを備えて、有底筒状に形成されている。ボタン本体３３即ち操作ボタン１１は、正面板１６が前面２ａと平行でかつ該前面２ａより外側に露出する状態で、操作部用孔１３内に収容されている。操作ボタン１１のボタン本体３３は、正面板１６が前面２ａから突没自在に、前記操作部用孔１３即ちケース２にスライド自在に支持されている。
【００２６】
ヒンジ部３４は、棒状の連結部３５と、ジグザグ形状のジグザグ部３６とを備えている。連結部３５は、ボタン本体３３の筒部１７の正面板１６から離れてケース２の内側寄りの縁部から、ボタン本体３３の外周方向に直線状に延在している。ジグザグ部３６は、一端が互いに隣り合うボタン本体３３のうち一つのボタン本体３３の連結部３５の端に連なり、他端が他のボタン本体３３の連結部３５の端に連なっている。こうして、ジグザグ部３６即ちヒンジ部３４は、互いに隣り合うボタン本体３３同士を連結している。
【００２７】
また、前述したヒンジ部３４は、連結部３５と、ジグザグ部３６とに亘って、ボタン本体３３よりも厚みが薄くかつ幅も狭く形成されて、弾性変形自在となっている。ヒンジ部３４は、弾性変形することで、ボタン本体３３がケース２に対して奥行き方向Ｙに沿って移動即ち変位することを許容する。
【００２８】
印刷配線板１９は、ケース２内に収容されている。印刷配線板１９は、前面２ａの近傍に配されている。印刷配線板１９は、絶縁性の基板２４と、該基板２４の表面に形成された配線パターンとを備えている。基板２４は、その両表面が前記前面２ａと平行に配されている。基板２４には、図示しない各種の電子部品などが実装されている。配線パターンは、銅などの導電性の金属で構成されている。配線パターンは、箔状に形成されて、基板の表面に貼り付けられている。配線パターンは、前述した電子部品同士を予め定められたパターンにしたがって電気的に接続している。
【００２９】
また、配線パターンは、一対の接点２０ａ，２０ｂを含んでいる。一対の接点２０ａ，２０ｂは、複数（対）設けられている。一対の接点２０ａ，２０ｂは、それぞれ、操作ボタン１１のボタン本体３３に対応して設けられている。ボタン本体３３一つに対して、一対の接点２０ａ，２０ｂが対応している。一対の接点２０ａ，２０ｂは、対応する操作ボタン１１のボタン本体３３と、奥行き方向Ｙに沿って、並べられている。
【００３０】
一対の接点２０ａ，２０ｂは、それぞれ、前述した配線パターンの一部であり、勿論、印刷配線板１９の基板２４のフロントパネル１８ａ側の表面に設けられている。一対の接点２０ａ，２０ｂは、互いに間隔をあけている。即ち、接点２０ａ，２０ｂ同士は、電気的に絶縁されている。
【００３１】
一対の接点２０ａ，２０ｂは、ボス部２６の後述する収容孔２７内に位置付けられている。一対の接点２０ａ，２０ｂは、対応する操作ボタン１１のボタン本体３３が押圧されたか否かを検出する検出回路に接続している。一対の接点２０ａ，２０ｂは、互いに電気的に接続されると、前記検出回路に向かって対応するボタン本体３３が押圧されたことを示す情報を出力する。
【００３２】
接点ゴム２１は、絶縁性と弾性との双方を有する合成樹脂（弾性材料としてのゴムなど）で構成されている。接点ゴム２１は、印刷配線板１９の基板２４のフロントパネル１８ａ側の表面に重ねられている。接点ゴム２１は、平板部２５と、ボス部２６とを備えている。平板部２５は、平板状に形成され、印刷配線板１９の基板２４の表面に重ねられて、該印刷配線板１９と密に接触する。勿論、平板部２５は、印刷配線板１９の前述した配線パターンに重ねられている。
【００３３】
ボス部２６は、平板部２５が印刷配線板１９に重ねられた際に、一対の接点２０ａ，２０ｂと重なって、当該接点２０ａ，２０ｂと対応する位置に設けられている。則ち、ボス部２６は、接点２０ａ，２０ｂと同数（則ち複数）設けられている。ボス部２６は、図５に示すように、接点２０ａ，２０ｂを囲むとともに前記平板部２５を貫通した収容孔２７と、該収容孔２７の内縁から立設した立設部２８と、立設部２８の端に連なる接離部２９と、導電部２３とを備えている。
【００３４】
収容孔２７の平面形状は、丸形である。収容孔２７は、一対の接点２０ａ，２０ｂを収容する。立設部２８は、収容孔２７の縁からフロントパネル１８ａ即ち操作ボタン１１のボタン本体３３に向かって延在している。立設部２８は、収容孔２７の全周に設けられている。立設部２８は、操作ボタン１１のボタン本体３３に向かうにしたがって収容孔２７の内径が小さくなる方向に、傾斜している。即ち、立設部２８は、外形が裁頭円錐状に形成されている。
【００３５】
接離部２９は、円板状に形成されており、立設部２８の操作ボタン１１のボタン本体３３寄りの端に連なっている。接離部２９は、奥行き方向Ｙに沿って、対応する操作ボタン１１のボタン本体３３と並ぶ位置に配置されて、当該ボタン本体３３のフロントパネル１８ａから離れた側の端が表面上に重ねられる。
【００３６】
前述した接離部２９は、ボス部２６則ち接点ゴム２１が弾性変形していない中立状態では、一対の接点２０ａ，２０ｂと間隔をあけている。接離部２９は、ボス部２６則ち接点ゴム２１が弾性変形していない中立状態では、操作ボタン１１のボタン本体３３の正面板１６をフロントパネル１８ａの外表面よりも突出させる。接離部２９は、ボス部２６則ち接点ゴム２１の弾性復元力に抗して、一対の接点２０ａ，２０ｂに向かって押圧されると、導電部２３を一対の接点２０ａ，２０ｂの双方と接触させる。このように、接離部２９は、弾性変形していない中立状態で、導電部２３を印刷配線板１９の基板２４と一対の接点２０ａ，２０ｂとの双方から間隔をあけさせるとともに、立設部２８が主に弾性変形することで、導電部２３を一対の接点２０ａ，２０ｂの双方に接触可能にしている。
【００３７】
導電部２３は、ゴムなどの弾性を有する合成樹脂にカーボンなどの導体で構成される粉が混入されて構成されている。即ち、導電部２３は、導電性と弾性との双方を有する。導電部２３は、円板状に形成されており、接離部２９の接点２０ａ，２０ｂと相対する表面に印刷されて形成されている。このため、導電部２３は、一対の接点２０ａ，２０ｂの表面と平行に配置される。
【００３８】
導電部２３は、主に立設部２８などが弾性変形していない中立状態では、一対の接点２０ａ，２０ｂの双方と間隔をあける。導電部２３は、主に立設部２８などの弾性復元力に抗して、操作ボタン１１のボタン本体３３から一対の接点２０ａ，２０ｂに向かって押圧されると、これらの一対の接点２０ａ，２０ｂの双方に接触して、該一対の接点２０ａ，２０ｂ同士を電気的に接続する。また、ボス部２６は、収容孔２７と立設部２８と接離部２９と導電部２３が互いに同軸に配されている。
【００３９】
ハウジング部材３０は、ケース２のフロントパネル１８ａと同様に、合成樹脂で構成されている。ハウジング部材３０は、図２に示すように、平板状の本体部３７と、複数のボス部通し孔３８と、複数の押さえ部通し孔３９とを備えている。本体部３７即ちハウジング部材３０は、接点ゴム２１とケース２との間に設けられ、接点ゴム２１上に重ねられて、当該接点ゴム２１の平板部２５を覆っている。
【００４０】
ボス部通し孔３８は、接点ゴム２１のボス部２６と１対１で対応して設けられ、かつ本体部３７を貫通して設けられているとともに、内側にボス部２６を通している。押さえ部通し孔３９は、接点ゴム２１に設けられた第２押さえ部３２と１対１で対応して設けられ、かつ本体部３７を貫通して設けられているとともに、内側に第２押さえ部３２を通している。
【００４１】
前述したハウジング部材３０は、本体部３７が接点ゴム２１の平板部２５に重ねられ、かつボス部通し孔３８内にボス部２６を通しているとともに、押さえ部通し孔３９内に第２押さえ部３２を通して、印刷配線板１９との間に接点ゴム２１を挟んで、当該接点ゴム２１の平板部２５を覆う。そして、ハウジング部材３０は、接点ゴム２１の大部分としての平板部２５が弾性変形することを規制する。
【００４２】
第１押さえ部３１は、互いに隣り合う操作ボタン１１のボタン本体３３同士を連結したヒンジ部３４のジグザグ部３６の中央及び端に位置するジグザグ部３６の端部に対応して設けられ、これらのジグザグ部３６の中央及び端に位置するジグザグ部３６の端部の総数と同数設けられている。第１押さえ部３１は、図２などに示すように、ケース２のフロントパネル１８ａから該ケース２の内側即ち印刷配線板１９に向かって立設した柱状に形成されている。
【００４３】
第２押さえ部３２は、互いに隣り合う操作ボタン１１のボタン本体３３同士を連結したヒンジ部３４のジグザグ部３６の中央、及び端に位置するジグザグ部３６の端部に対応して設けられ、これらのジグザグ部３６の中央及び端に位置するジグザグ部３６の端部の総数と同数設けられている。第２押さえ部３２は、図２などに示すように、接点ゴム２１の平板部２５からケース２に向かって凸状に形成されている。第２押さえ部３２は、裁頭円錐状に形成されて、ハウジング部材３０の押さえ部通し孔３９内に通されている。第２押さえ部３２は、接点ゴム２１と一体に形成されて、当該接点ゴム２１と同様に弾性材料としてのゴムなどで構成されている。
【００４４】
前述した第１押さえ部３１と第２押さえ部３２は、図４及び図５に示すように、互いの間に、互いに隣り合う操作ボタン１１のボタン本体３３同士を連結したヒンジ部３４のジグザグ部３６の中央、端に位置するジグザグ部３６の端部を挟んで、操作ボタン１１をケース２に対して固定する。なお、第２押さえ部３２は、第１押さえ部３１との間にヒンジ部３４のジグザグ部３６の中央、端に位置するジグザグ部３６の端部を挟むと、勿論、接点ゴム２１の平板部２５に没する方向に弾性変形する。即ち、第２押さえ部３２は、第１押さえ部３１との間にヒンジ部３４のジグザグ部３６の中央、端に位置するジグザグ部３６の端部を挟むと、これらのジグザグ部３６の中央及び端部を第１押さえ部３１に向かって押圧する弾性復元力を生じる。
【００４５】
前述した構成の取付構造１４は、図６に示すように、操作ボタン１１のボタン本体３３が使用者により押圧されることにより、接点ゴム２１のボス部２６の主に立設部２８の弾性復元力に抗して、操作ボタン１１のボタン本体３３が、ボス部２６の接離部２９を導電部２３が一対の接点２０ａ，２０ｂに近づく方向に押圧する。すると、ヒンジ部３４が弾性変形して、操作ボタン１１のボタン本体３３が奥行き方向Ｙに沿ってケース２の奥に向かって移動して、ボス部２６の導電部２３が一対の接点２０ａ，２０ｂの双方に接触して、一対の接点２０ａ，２０ｂ同士を電気的に接続する。
【００４６】
取付構造１４は、操作ボタン１１のボタン本体３３が使用者などから押圧されなくなると、図５に示すように、接点ゴム２１のボス部２６の主に立設部２８の弾性復元力によって、導電部２３が一対の接点２０ａ，２０ｂの双方から離れるとともに、接点ゴム２１のボス部２６の接離部２９がボタン本体３３を押圧して、ボタン本体３３をフロントパネル１８ａから突出させる。
【００４７】
このように、操作ボタン１１のボタン本体３３が操作されることにより、ケース２内に収容された各種プレーヤ３，４やチューナ５等が動作する。
【００４８】
本実施例によれば、ケース２のフロントパネル１８ａに設けられた第１押さえ部３１と、ゴムで構成された接点ゴム２１に設けられた第２押さえ部３２との間に操作ボタン１１のヒンジ部３４を挟んで、操作ボタン１１をケース２に取り付けている。このため、成形時などに第１押さえ部３１や第２押さえ部３２の寸法に狂いが生じても、接点ゴム２１に設けられた第２押さえ部３２の弾性変形量がそれに応じて変化して、ガタを生じることなく、かつ、第２押さえ部３２が弾性変形するので、過度にヒンジ部３４を第１押さえ部３１に密に接触させることなく、操作ボタン１１を取り付けることができる。
【００４９】
したがって、取付構造１４は、組み立て時に、ケース２のフロントパネル１８ａと接点ゴム２１との双方と操作ボタン１１のヒンジ部３４との間の隙間を調整する工程が必要なくなり、組み立てにかかる工数の増加を防止できる。
【００５０】
また、第１押さえ部３１が、ケース２のフロントパネル１８ａから立設した柱状に形成されている。このため、第１押さえ部３１と第２押さえ部３２とを確実に近接させることができ、第１押さえ部３１が、第２押さえ部３２との間に操作ボタン１１のヒンジ部３４を確実に挟むことができる。さらに、第２押さえ部３２が、接点ゴム２１の平板部２５から凸の凸状に形成されている。このため、第１押さえ部３１と第２押さえ部３２とを確実に近接させることができ、第２押さえ部３２が、第１押さえ部３１との間に操作ボタン１１のヒンジ部３４を確実に挟むことができる。
【００５１】
また、操作ボタン１１が、複数のボタン本体３３を備え、ヒンジ部３４が互いに隣り合うボタン本体３３同士を連結している。このため、組み立て時に、複数のボタン本体３３を一つの部品として取り扱うことができるので、組み立てにかかる手間即ち工数を削減することができる。
【００５２】
接点ゴム２１の平板部２５を印刷配線板１９との間に挟んで覆うハウジング部材３０を備えている。このため、接点ゴム２１のボス部２６や第２押さえ部３２を除く平板部２５の大部分が変形することを防止できるので、当該接点ゴム２１の変形可能な部分をボス部２６や第２押さえ部３２などに限定することができる。したがって、操作ボタン１１のボタン本体３３を操作したときに、確実に一対の接点２０ａ，２０ｂ同士を電気的に接続できるとともに、第１押さえ部３１と第２押さえ部３２との間にヒンジ部３４を挟み込んで、操作ボタン１１をケース２に確実に取り付けることができる。
【００５３】
ＡＶ機器１は、前述した取付構造１４を備えているので、組み立て時に、ケース２と接点ゴム２１との双方と操作ボタン１１のヒンジ部３４との間の隙間を調整する工程が必要なくなり、組み立てにかかる工数の増加を防止することができる。
【００５４】
前述した実施例では、ヒンジ部３４が互いに隣り合うボタン本体３３同士を連結し、弾性変形することで、ボタン本体３３を移動（変位）自在としている。しかしながら、本発明では、図７に示すように、ヒンジ部３４がボタン本体３３同士を連結せずに、操作ボタン１１が一つのボタン本体３３で構成されて良い。さらに、本発明では、ボタン本体３３がスライド移動せずに、図７に示すように、ヒンジ部３４などを中心として回転することで、ケース２に対して変位自在となっていても良い。なお、図７において、前述した実施例と同一構成部分には、同一符号を付して説明を省略する。
【００５５】
図７では、ヒンジ部３４は、円柱状に形成されて、操作ボタン１１のボタン本体３３のケース２の奥寄りの端から当該ボタン本体３３の外側に向かって凸に形成されている。そして、第１押さえ部３１に前述したヒンジ部３４を収容可能な凹み４３が形成されている。そして、ヒンジ部３４は、そのヒンジ部３４自身を中心としてボタン本体３３が回転することを許容して、当該ボタン本体３３即ち操作ボタン１１がケース２に対して変位することを許容する。
【００５６】
この図７に示す場合において、前述した実施例と同様に、ケース２のフロントパネル１８ａに設けられた第１押さえ部３１と接点ゴム２１に一体に設けられた第２押さえ部３２との間にヒンジ部３４を挟むので、組み立て時に、ケース２と接点ゴム２１との双方と操作ボタン１１のヒンジ部３４との間の隙間を調整する工程が必要なくなり、組み立てにかかる工数の増加を防止できる。
【００５７】
また、前述した実施例では、第１押さえ部３１をケース２のフロントパネル１８ａから立設した柱状に形成している。しかしながら、本発明では、第１押さえ部３１をケース２のフロントパネル１８ａから立設した柱状に形成せずに、種々の形状に形成しても良い。さらに、前述した実施例では、第２押さえ部３２を接点ゴム２１の平板部２５から凸の凸状に形成している。しかしながら、本発明では、第２押さえ部３２を接点ゴム２１の平板部２５から凸の凸状に形成せずに、種々の形状に形成しても良い。
【００５８】
前述した実施例では、電子機器として自動車に取り付けられるＡＶ機器１を示している。しかしながら、本発明では、ＡＶ機器１に限らず、種々の電子機器に適用しても良い。
【００５９】
前述した実施例によれば、以下の取付構造１４が得られる。
【００６０】
（付記）  ケース２に変位自在に支持されたボタン本体３３と、このボタン本体３３に連なりかつ前記ボタン本体３３が前記ケース２に対して変位することを許容するヒンジ部３４とを有した操作ボタン１１と、
前記ケース２内の印刷配線板１９に重ねられ、かつ弾性材料で構成されているとともに、弾性変形することで前記印刷配線板１９上に形成された一対の接点２０ａ，２０ｂ同士を電気的に接続するボス部２６が設けられた接点ゴム２１と、を備えた操作ボタンの取付構造１４において、
前記ケース２に設けられた第１押さえ部３１と、前記接点ゴム２１に設けられかつ前記第１押さえ部３１との間に前記ヒンジ部３４を挟む第２押さえ部３２と、を備えたことを特徴とする操作ボタンの取付構造１４。
【００６１】
付記によれば、ケース２に設けられた第１押さえ部３１と、ゴムで構成された接点ゴム２１に設けられた第２押さえ部３２との間に操作ボタン１１のヒンジ部３４を挟んで、操作ボタン１１をケース２に取り付けている。このため、成形時などに第１押さえ部３１や第２押さえ部３２の寸法に狂いが生じても、接点ゴム２１に設けられた第２押さえ部３２の弾性変形量がそれに応じて変化して、ガタを生じることなく、かつ、第２押さえ部３２が弾性変形するので、過度にヒンジ部３４を第１押さえ部３１に密に接触させることなく、操作ボタン１１を取り付けることができる。したがって、組み立て時に、ケース２と接点ゴム２１との双方と操作ボタン１１のヒンジ部３４との間の隙間を調整する工程が必要なくなり、組み立てにかかる工数の増加を防止できる。
【００６２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６３】
【図１】本発明の一実施例にかかる取付構造を備えたＡＶ機器を示す斜視図である。
【図２】図１に示されたＡＶ機器の取付構造の要部を示す分解斜視図である。
【図３】図１に示されたＡＶ機器の取付構造の要部を示す斜視図である。
【図４】図３に示された取付構造の要部を拡大して示す断面図である。
【図５】図３中のＶ−Ｖ線に沿う断面図である。
【図６】図５に示された操作ボタンが押圧操作された状態を示す断面図である。
【図７】図２に示された取付構造の変形例の要部を示す斜視図である。
【符号の説明】
【００６４】
１  ＡＶ機器（電子機器）
２  ケース
１１  操作ボタン
１４  操作ボタンの取付構造
１８ａ  フロントパネル（本体部）
１９  印刷配線板
２０ａ，２０ｂ  接点
２１  接点ゴム（弾性体）
２５  平板部
２６  ボス部
３０  ハウジング部材
３１  第１押さえ部
３２  第２押さえ部
３３  ボタン本体
３４  ヒンジ部
【図１】
2008251183.tif 000003
【図２】
2008251183.tif 000004
【図３】
2008251183.tif 000005
【図４】
2008251183.tif 000006
【図５】
2008251183.tif 000007
【図６】
2008251183.tif 000008
【図７】
2008251183.tif 000009